(57)【要約】【課題】  親、親以外の遊戯者又は所要の要求などの選定を可能にし、親に選ばれた者からその親以外の遊戯者に対して所要の要求などを割り当てて遊ぶゲームに使える食品型遊戯具を提供する。【解決手段】  本発明の食品型遊戯具によれば、宴会の席など複数の人数が集まった時のゲームにおいて実質的な差異ない外見を有する親決め用食品部材と選択用食品部材を用いることで公平に親、親以外の遊戯者又は所要の要求を選定することができる。このことで、親に選ばれた者から親以外の遊戯者に対して所要の「要求」などを割り当てて遊ぶゲームをはじめることができ、遊戯者は食品型遊戯具の特徴部を可視状態にするだけでなくその後も楽しむことができる。【選択図】図１
2006115943.tif 000002
【特許請求の範囲】
【請求項１】
複数の遊戯者のうちの１人を親として特定するためのしるしを備えた親決め用特徴部を基体の一部に有し、該基体の一部の前記親決め用特徴部を不可視に被覆する被覆材が設けられてなる親決め用食品部材と、
前記複数の遊戯者から１人分引いた人数の遊戯者うちの特定の人を選択するためのしるしを備えた選択用特徴部を基体の一部に有し、該基体の一部の前記選択用特徴部を不可視に被覆する被覆材が設けられてなる複数の選択用食品部材とを具備してなり、
前記遊戯者がそれぞれ被覆材が被覆された状態の前記親決め用食品部材及び被覆材が被覆された状態の前記選択用食品部材のうちの１つを選択して取る際には、前記親決め用食品部材と前記選択用食品部材は実質的な差異ない外見を有することを特徴とする食品型遊戯具。
【請求項２】
前記基体の一部の前記親決め用特徴部及び前記選択用特徴部を不可視に被覆する前記被覆材、若しくは前記親決め用食品部材及び前記選択用食品部材の基体の少なくとも一方は、食することが可能な材料で構成されていることを特徴とする請求項１記載の食品型遊戯具。
【請求項３】
前記親決め用食品部材及び前記選択用食品部材の基体は、棒状の焼き菓子とされ、前記被覆材は油脂性菓子材からなることを特徴とする請求項１記載の食品型遊戯具。
【請求項４】
遊戯者数から１つ引いた個数の前記選択用食品部材と、単数の前記親決め用食品部材とがまとめて提供されることを特徴とする請求項１記載の食品型遊戯具。
【請求項５】
前記基体の一部の前記親決め用特徴部及び前記選択用特徴部を不可視に被覆する前記被覆材は、前記複数の遊戯者から１人分引いた人数の遊戯者を数え、その数に応じて前記選択用食品部材の基体を用意した後、前記遊戯者がそれぞれ前記親決め用食品部材及び前記選択用食品部材のうちの１つを選択する前に被覆されることを特徴とする請求項１記載の食品型遊戯具。
【請求項６】
複数の遊戯者のうちの１人を親として特定するためのしるしを備えた親決め用特徴部を基体の一部に有し、該基体の一部の前記親決め用特徴部を不可視に被覆する被覆材が設けられてなる親決め用食品部材と、
前記親決め用食品部材と実質的な差異ない外見を有し、前記親を除く複数の遊戯者を子とする子決め用食品部材とを具備することを特徴とする食品型遊戯具。
【請求項７】
複数の遊戯者のうちの１人を親として特定するためのしるしを備えた親決め用特徴部を基体の一部に有する親決め用食品部材と、
前記複数の遊戯者から１人分引いた人数の遊戯者うちの特定の人を選択するためのしるしを備えた選択用特徴部を基体の一部に有する複数の選択用食品部材とを具備してなり、
前記遊戯者が前記親決め用食品部材及び前記選択用食品部材のうちの１つを選択して取る際には、少なくとも前記親決め用特徴部及び前記選択用特徴部をまとめて不可視に被覆することで、前記親決め用食品部材と前記選択用食品部材は実質的な差異ない外見を有することを特徴とする食品型遊戯具。
【発明の詳細な説明】
【技術分野】
【０００１】
本発明は、菓子などの食品を用いて遊戯を行うための食品型遊戯具に関し、詳しくは、複数の遊戯者の中から親の選択を必要とするときに使用できる食品型遊戯具であり、親以外の遊戯者や要求を選定することを必要とするときにも使用できる食品型遊戯具に関する。
【背景技術】
【０００２】
遊戯的要素を取り入れた食品は以前より数多く知られている。例えば、おみくじのような紙に記されたメッセージが中に入っている焼き菓子（いわゆるフォーチュンクッキー）などがある。同様に、適宜の絵、模様、文字などが非油脂性可食インクで表面に印刷され、印刷面部分が油脂性菓子生地で被覆され、印刷内容が不可視状態になされている舐め菓子（例えば、特許文献１参照）が知られている。
【０００３】
また、大きな包装容器内に、包装材料で個々の菓子を包装してなる小包装体を複数収容し、前記小包装体の少なくとも１つの一部に当たり等のくじの結果を示すくじ表示部を設けた菓子詰め物製品（例えば、特許文献２参照）が知られている。
【０００４】
【特許文献１】実開昭６３−０９２５８６号公報
【特許文献２】実用新案登録第３０７６９６３号公報
【発明の開示】
【発明が解決しようとする課題】
【０００５】
宴会の席など複数の人数が集まった時のゲームにおいて、そのゲームを取り仕切る親だけでなく親以外の遊戯者を特定して、例えば親に選ばれた者からその特定された者に対して所要の「要求」などを割り当てて遊ぶ場合がある。そのようなときに、特許文献１のような舐め菓子は、個々の菓子を舐めてその印刷部の内容を楽しむだけであり遊戯者を特定する要素は含まれていない。また、特許文献２のような菓子詰め物製品は、当たりかはずれかを選択するにすぎない。
【０００６】
これまでの特許文献１及び特許文献２のような食品型遊戯具は、単に当たりかはずれかのゲーム性に着目した商品に過ぎず単純な遊びを提供するものにとどまる。そこで本発明の食品型遊戯具は、複数の人数が集まった時のゲームにおいて、そのゲームを取り仕切る親、親以外の遊戯者又は所要の要求を選定できることを課題とし、複数の人数の間でのゲーム性を高めた食品型遊戯具を提供することを目的とする。
【課題を解決するための手段】
【０００７】
本発明の食品型遊戯具は、複数の遊戯者のうちの１人を親として特定するためのしるしを備えた親決め用特徴部を基体の一部に有し、基体の一部の親決め用特徴部を不可視に被覆する被覆材が設けられてなる親決め用食品部材と、複数の遊戯者から１人分引いた人数の遊戯者うちの特定の人又は所要の要求を選択するためのしるしを備えた選択用特徴部を基体の一部に有し、基体の一部の選択用特徴部を不可視に被覆する被覆材が設けられてなる複数の選択用食品部材とを具備してなり、遊戯者がそれぞれ被覆材が被覆された状態の親決め用食品部材及び被覆材が被覆された状態の選択用食品部材のうちの１つを選択して取る際には、親決め用食品部材と選択用食品部材は実質的な差異ない外見を有することを特徴とする。これにより、親及び親以外の遊戯者又は所要の要求を選定することができる。
【０００８】
本発明の食品型遊戯具は、複数の遊戯者のうちの１人を親として特定するためのしるしを備えた親決め用特徴部を基体の一部に有し、該基体の一部の前記親決め用特徴部を不可視に被覆する被覆材が設けられてなる親決め用食品部材と、前記親決め用食品部材と実質的な差異ない外見を有し、前記親を除く複数の遊戯者を子とする子決め用食品部材とを具備することを特徴とする。これにより、少なくともゲームを取り仕切る親を特定することができる。
【発明の効果】
【０００９】
本発明の食品型遊戯具によれば、宴会の席など複数の人数が集まった時のゲームにおいて実質的な差異ない外見を有する親決め用食品部材と選択用食品部材を用いることで公平に親、親以外の遊戯者又は所要の要求を選定することができる。このことで、親に選ばれた者から親以外の遊戯者の中で特定された者に対して所要の「要求」などを割り当てて遊ぶゲームをはじめることができ、遊戯者は食品型遊戯具の特徴部を可視状態にするだけでなくその後も楽しむことができる。
【発明を実施するための最良の形態】
【００１０】
以下、本発明の食品型遊戯具について、図面を参照しながら詳細に説明する。なお、本発明においては、以下の記述に限定されるものではなく、本発明の要旨を逸脱しない範囲において適宜変更可能である。
【００１１】
図１は、基体に焼き菓子、被覆材にチョコレートを用いた実施形態の食品型遊戯具１のレイアウト図の一例である。本実施形態の食品型遊戯具１は、図１に示されるような外形を示し、下記で説明する１本の親決め用菓子２と、複数の選択用菓子３の組み合わせとなっている。親決め用菓子２は、棒状の焼き菓子部４にチョコレート５を所要の厚さで形成し、遊戯者が手で持つことができるように基端側はチョコレート５がコーティングされていない菓子である。そして、複数の遊戯者のうち１人を親として特定するしるしをチョコレート５でコーティングされた部分に有している。また、選択用菓子３は親決め用菓子２と同様に棒状の焼き菓子部７にチョコレート８を所要の厚さで形成し、遊戯者が手で持つことができるように基端側はチョコレート８がコーティングされていない菓子である。そして、複数の遊戯者から１人分引いた人数の遊戯者のうちの特定の人を選択するためのしるしをチョコレート８でコーティングされた部分に有している。
【００１２】
宴会の席など複数の人数が集まった時のゲームにおいて、そのゲームを取り仕切る親だけでなく親以外の遊戯者を特定して、例えば親に選ばれた者からその特定された者に対して所要の「要求」などを割り当てて遊ぶ場合、遊戯者は、１本の親決め用菓子２と遊戯者の数から１人分引いた本数の選択用菓子３からなる本実施形態の食品型遊戯具１からそれぞれ任意の１本を取り出す。このとき、親決め用菓子２と選択用菓子３は外見上実質的な差異がなく、遊戯者は自分が親になるか親以外になるかわからないまま１本を選択することになる。尚、本実施形態において「親」とは遊戯上他の呼び名であるものでもよく、例えば「王様」「女王様」「マスター」「殿」などでもよい。
【００１３】
本実施形態の食品型遊戯具１は、１本の親決め用菓子２と複数の選択用菓子３を組み合わせて遊戯者に提供されるが、遊戯者がゲームを始める際に１本の親決め用菓子２と遊戯者の数から１人分引いた本数の選択用菓子３からなる組み合わせになっていれば、その他のときの組み合わせは特に限定されない。例えば飲食店等でその客が遊戯者である場合、飲食店が遊戯者の数に合わせた本数の食品型遊戯具１の組み合わせを用意してもよい。
【００１４】
図２は、親決め用菓子２の外形を示している。図２のように親決め用菓子２は、複数の遊戯者のうちの１人を親として特定するためのしるしを備えた焼き目６を焼き菓子部４の一部に有し、その焼き目６を不可視に被覆するチョコレート５に覆われている。焼き目６がチョコレート５に覆われていることで、遊戯者はチョコレート５を舐めてはじめて焼き目６を見ることができる。尚、焼き目６は、親と分かるしるしであれば文字でも記号でも絵柄でもよく、その形状や材質も特に限定されるものではない。例えば焼き目６の代わりに焼き菓子部４に凹凸をつけるなどしてもよい。
【００１５】
図３は、選択用菓子３の外形を示している。図３のように選択用菓子３は、複数の遊戯者から１人分引いた人数の遊戯者うちの特定の人を選択するためのしるしを備えた焼き目９を焼き菓子部７の一部に有し、その焼き目９を不可視に被覆するチョコレート８に覆われている。焼き目９がチョコレート８に覆われていることで、遊戯者はチョコレート８を舐めてはじめて焼き目９を見ることができる。尚、焼き目９は、特定の人を選択するためのしるしであれば文字でも記号でも絵柄でもよく、その形状や材質も特に限定されるものではない。例えば焼き目９の代わりに焼き菓子部７に凹凸をつけるなどしてもよい。
【００１６】
図２及び図３において、親決め用菓子２及び選択用菓子３の外形はこれに限られるものではない。例えば、その形状は棒状でなくてもよく、焼き菓子部４及び焼き菓子部７は、全てがチョコレート５及び８で覆われていてもよい。
【００１７】
図４は、本実施形態の食品型遊戯具１を用いたゲームの流れを示したフローチャートである。遊戯者はまず、ステップ４１のように１本の親決め用菓子２と遊戯者の数から１人分引いた本数の選択用菓子３を用意する。次にステップ４２のように親決め用菓子２と選択用菓子３の判別がつかないように混ぜ合わせる。このとき、親決め用菓子２と選択用菓子３は、外見上実質的な差異がないため判別がつかないように混ぜ合わせる。
【００１８】
次に遊戯者は、ステップ４３のように１本の親決め用菓子２と遊戯者の数から１人分引いた本数の選択用菓子３からなる本実施形態の食品型遊戯具１からそれぞれ任意の１本を取り出す。このとき、親決め用菓子２と選択用菓子３は、外見上実質的な差異がないため、遊戯者は自分が親になるか親以外になるかわからないまま１本を選択することとなる。例えば、この選択の方法としては、食品型遊戯具から遊戯者のそれぞれが選んでもよいが、遊戯者の１人が遊戯者全員に配布してもよい。
【００１９】
そして、ステップ４４のように任意の１本を取り出した遊戯者は、被覆材であるチョコレートを舐める。遊戯者はこのとき、自分が親の場合には名乗り出るが、それ以外の場合には他の遊戯者に番号を見せてはならない。次にステップ４５のように、名乗り出た親は例えば「１番と３番が握手をする」と言った要求を割り当て、最後にステップ４６のように選択された遊戯者がその要求を実行するか、用意されていた遊戯を行って遊ぶものである。
【００２０】
図５は、被覆材のチョコレート１５を遊戯者が被覆する場合の食品型遊戯具１６のレイアウト図の一例である。図５のような食品型遊戯具１６によると、親決め用の焼き目１３を有する焼き菓子部１１を１本と選択用の焼き目１４を有する複数の遊戯者から１人分引いた本数の焼き菓子部１２を用意し、それぞれ親決め用菓子２７及び選択用菓子１８のうちの１つを選択する前に自らチョコレート１５を被覆することができる。選択前に自らチョコレート１５を被覆することで、初めに遊戯者が焼き目１３及び焼き目１４を確認することができ公平性をより増すことができる。また、チョコレート１５を被覆するという作業を通じて遊戯者どうしの親睦を深めることができる。
【００２１】
また、親決め用焼き目を有する焼き菓子部を１本と選択用の焼き目を有する複数の遊戯者から１人分引いた本数の焼き菓子部材を用意し、親決め用焼き目及び選択用焼き目をまとめて不可視にする被覆材で被覆してもよい。この被覆により、親決め用焼き菓子部と選択用焼き菓子部とは、実質的に差異ない外見を有する。すなわち、被覆材の外側からは、親決め用焼き菓子部と選択用焼き菓子部とが区別できなくなる。そして、親決め用焼き菓子部の親決め用焼き目及び複数の選択用焼き菓子部の選択用焼き目がまとめて被覆された状態で、複数の遊戯者が焼き菓子部を選択することで、上述と同様に遊ぶことができる。例えば、外側からは内側を見ることができない袋や容器等の被覆材を用意し、親決め用焼き菓子部の親決め用焼き目と選択用焼き菓子部の選択用焼き目が見えなくなるように親決め用焼き菓子部と選択用焼き菓子部を被覆材にまとめて入れ、遊戯者に焼き菓子を選択させてもよい。これにより、各々の焼き菓子に被覆材を備えなくてもよい。
【００２２】
以下、本発明の食品型遊戯具の別の例について説明する。本発明の食品型遊戯具には、親を特定するためのしるしを備えた親決め用菓子２や複数の遊戯者から１人分引いた人数の遊戯者のうち特定の人を選択するためのしるしを備えた選択用菓子３の他に、図６のように、例えば「肩を揉む」や「握手する」といった所要の「要求」を記載した要求用菓子５０が含まれていてもよい。この要求用菓子５０は複数用意され、外見上実質的に差異のないものであり、親決め用菓子に備えたしるし以外は親決め用菓子と略同一のものであってもよい。この要求用菓子５０を使用する場合、まず上記実施の形態と同様に親を選定し、その後に選定された親が複数の要求用菓子５０から１本を選択し、要求用菓子５０に記されている要求を選択した他の遊戯者に割り当て、上記実施の形態と同様に遊ぶことができる。また、親に選定された遊戯者が要求用菓子５０を選択し、その要求用菓子５０に記されている要求を行ってもよい。これにより、より遊戯性を増すことができる。
【００２３】
また、別の例としては、選択用菓子３の代わりに、図７のように、親決め用菓子２に備えられたしるし以外のしるしを備えた子決め菓子５１を用意してもよい。この子決め用菓子５１は、親決め用菓子２に備えられたしるし以外は親決め用菓子２と略同一のもので、親決め用菓子２と外見上実質的に差異がないように形成されている。この子決め用菓子５１を用意する場合、上記実施の形態と同様に１本の親決め用菓子２と複数の子決め菓子５１を混ぜ合わせ、菓子を選択し、親のみを選定する。選定された親は、所要の要求を行う遊戯者を選定し、例えば「握手する」等といった要求をその遊戯者に割り当てて遊ぶことができる。これにより、必要とする菓子は、親決め用菓子２と子決め菓子５１の２種類であるため、より簡便である。子決め菓子５１のしるしは、親ではないことがわかればよいため、例えば親決め用菓子２に備えたしるし以外の数字、文字、記号などでもよく、しるしのないものでもよい。
【００２４】
さらに、親決め用菓子の代わりに、図８のように、親を特定するためのしるしと共に所要の要求を記した親要求用菓子５２を用意してもよい。この親要求用菓子５２は、選択用菓子３に備えられたしるし以外は選択用菓子３と略同一のもので、選択用菓子３と外見上実質的に差異がないように形成されている。この親要求用菓子５２を用いる場合、上記実施の形態と同様に、１本の親要求用菓子５１と複数の選択用菓子３を用意し、親要求用菓子５２と選択用菓子３とを混ぜ合わせ、菓子を選択し、親を選定する。親は親要求用菓子５２に記載された例えば「親の肩を揉ませる」等といった要求を他の遊戯者に割り当てて遊ぶことができる。このとき、選択用菓子３の代わりに子決め菓子を用意してもよい。
【００２５】
またさらに、選択用菓子３の代わりに、図９のように、例えば数字と共に所要の要求を記した選択要求用菓子５３を用意してもよい。この選択要求用菓子５３は、親決め用菓子２に備えられたしるし以外は親決め用菓子２と略同一のもので、親決め用菓子２と外見上実質的に差異がないように形成されている。こおの選択要求用菓子５３を用いる場合、上記実施の形態と同様に、１本の親決め用菓子２と複数の選択要求用菓子５３を用意し、親決め用菓子２と選択要求用菓子３とを混ぜ合わせ、菓子を選択し、親を選定する。親は、他の遊戯者に選択した選択要求用菓子３に記された、例えば「親の肩を揉む」や「親と握手」等といった要求をするように割り当てて遊ぶことができる。
【００２６】
図１０は、基体に杯、被覆材に酒を用いた実施形態の食品型遊戯具１９のレイアウト図の一例である。尚、被覆材として用いる酒は、下記で説明する杯の有する親決め用及び選択用のマーク２７及び３０を不可視状態にできる濁度を有するものが望ましい。本実施形態の食品型遊戯具３０は、図１０に示されるような外形を示し、１個の親決め用杯２０と、複数の選択用杯２１の組み合わせとなっている。親決め用杯２０は、杯形の外形を形成し、内部に酒２６を注がれているものである。そして、複数の遊戯者のうち１人を親として特定するマーク２７を杯内側の底面に有している。また、選択用杯２１は、親決め用杯２０と同様に杯形の外形を形成し、内部に酒２９を注がれているものである。そして、複数の遊戯者から１人分引いた人数の遊戯者のうちの特定の人を選択するためのマーク３０を杯内側の底面に有している。
【００２７】
図１０のような食品型遊戯具１９においても、遊戯者が１個の親決め用杯２０と遊戯者の数から１人分引いた個数の選択用杯２１からそれぞれ任意の１個を取り出す場合、親決め用杯２０と選択用杯２１は外見上実質的な差異がないことを特徴とする。親決め用杯２０と選択用杯２１は外見上実質的な差異がないことにより、遊戯者は自分が親になるか親以外になるかわからないまま１個を選択することとなる。
【００２８】
図１１は、親決め用杯２０の外形を示している。図１１のように親決め用杯２０は、複数の遊戯者のうちの１人を親として特定するためのしるしを備えたマーク２７を杯部２５の内側の底面に有し、そのマーク２７を隠すような酒２６に満たされている。マーク２７が酒２６に満たされていることで、遊戯者は酒２６を飲んではじめてマーク２７を見ることができる。尚、マーク２７は、親と分かるしるしであれば文字でも記号でも絵柄でもよく、その形状や材質も特に限定されるものではない。例えばマーク２７の代わりに杯部２５に凹凸をつけるなどしてもよい。
【００２９】
図１２は、選択用杯２１の外形を示している。図１２のように選択用杯２１は、複数の遊戯者から１人分引いた人数の遊戯者うちの特定の人を選択するためのしるしを備えたマーク３０を杯部２８の内側の底面に有し、そのマーク３０を隠すような酒２９に満たされている。マーク３０が酒２９に満たされていることで、遊戯者は酒２９を飲んではじめてマーク３０を見ることができる。尚、マーク３０は、特定の人を選択するためのしるしであれば文字でも記号でも絵柄でもよく、その形状や材質も特に限定されるものではない。例えばマーク３０の代わりに杯部２８に凹凸をつけるなどしてもよい。
【００３０】
以上、本発明の食品型遊戯具に関する実施の形態である。本実施の形態での親決め用及び選択用食品部材の形状、材料、大きさ及び包装等はこれに限られるものではない。例えば、食品部材の材料は、菓子や飲料、パンだけでなく野菜や肉、魚などでもよい。
【図面の簡単な説明】
【００３１】
【図１】本発明の食品型遊戯具の形状の一例を示す斜視図である。
【図２】図１の実施形態の親決め用菓子の形状の一例を示す斜視図である。
【図３】図１の実施形態の選択用菓子の形状の一例を示す斜視図である。
【図４】ゲームの流れを示したフローチャートである。
【図５】本発明の食品型遊戯具の形状の一例を示す斜視図である。
【図６】本発明の食品型遊戯具の要求用菓子の形状の一例を示す斜視図である。
【図７】子決め菓子を含む本発明の食品型遊戯具の形状の一例を示す斜視図である。
【図８】親要求用菓子を含む本発明の食品型遊戯具の形状の一例を示す斜視図である。
【図９】選択要求用菓子を含む本発明の食品型遊戯具の形状の一例を示す斜視図である。
【図１０】本発明の食品型遊戯具の形状の一例を示す斜視図である。
【図１１】図６の実施形態の親決め用杯の形状の一例を示す斜視図である。
【図１２】図６の実施形態の選択用杯の形状の一例を示す斜視図である。
【符号の説明】
【００３２】
１、１６、１９  食品型遊戯具
２、１７  親決め用菓子
３、１８  選択用菓子
４、７、１１、１２  焼き菓子部
５、８  チョコレート
６、９、１３、１４  焼き目
１０  包装材
１５  被覆用チョコレート
２０  親決め用杯
２１  選択用杯
２２  とっくり
２３、２４  上方から見た杯部
２５、２８  杯部
２６、２９  酒
２７、３０  マーク
５０  要求用菓子
５１  子決め菓子
５２  親要求用菓子
５３  選択要求用菓子
【図１】
2006115943.tif 000003
【図２】
2006115943.tif 000004
【図３】
2006115943.tif 000005
【図４】
2006115943.tif 000006
【図５】
2006115943.tif 000007
【図６】
2006115943.tif 000008
【図７】
2006115943.tif 000009
【図８】
2006115943.tif 000010
【図９】
2006115943.tif 000011
【図１０】
2006115943.tif 000012
【図１１】
2006115943.tif 000013
【図１２】
2006115943.tif 000014